(57)【要約】【課題】印刷装置の表示部に，ユーザの関心が高い項目を表示できる可能性が高い技術を提供すること。【解決手段】ＭＦＰ１００は，少なくとも３以上のＭ個の項目を有する印刷設定の，項目ごとに割り当てられた評価値を，ＮＶＲＡＭ３４に記憶する。また，ＭＦＰ１００は，Ｍ個の印刷設定の項目のうち，Ｎ個を画面８２に表示する。ＭＦＰ１００は，印刷設定の項目が変更される度に，ＮＶＲＡＭ３４に記憶される評価値のうち，変更された項目に対応する評価値に点数を付与する。そして，ＭＦＰ１００は，各項目の評価値の高低に基づいて，画面８２に表示する項目を決定する。【選択図】            図３
2016101684.tif 000002
【特許請求の範囲】
【請求項１】
シートに画像を印刷する印刷部と，
表示部と，
入力部と，
記憶部と，
制御部と，
を備え，
前記記憶部は，
前記印刷部に印刷させる印刷設定であって，少なくとも３以上のＭ個の項目を有する前記印刷設定の，項目ごとに割り当てられた評価値を記憶し，
前記制御部は，
前記印刷設定の項目のうち，２以上であってＭより小さいＮ個の項目を表示する画面を，前記表示部に表示させる表示処理と，
前記印刷設定の各項目に対する変更を，前記入力部を用いて受け付ける受付処理と，
前記印刷設定の項目が変更される度に，前記記憶部に記憶される評価値のうち，変更された項目に対応する評価値に点数を付与する付与処理と，
前記印刷設定の項目のうち，前記記憶部に記憶される評価値が高いＮ個の項目を，前記画面に表示させる項目に決定する決定処理と，
を実行することを特徴とする印刷装置。
【請求項２】
請求項１に記載する印刷装置において，
前記制御部は，
前記表示処理では，前記画面に表示させるＮ個の項目について，前記記憶部に記憶される評価値が高い項目を，評価値が低い項目よりも優先して表示することを特徴とする印刷装置。
【請求項３】
請求項１または請求項２に記載する印刷装置において，
前記制御部は，
前記付与処理では，各項目の変更内容に応じて，付与される点数が異なることを特徴とする印刷装置。
【請求項４】
請求項３に記載する印刷装置において，
前記制御部は，
前記付与処理では，各項目の設定内容のうち，印刷頻度が高いほど付与される点数が小さいことを特徴とする印刷装置。
【請求項５】
請求項３または請求項４に記載する印刷装置において，
前記制御部は，
前記付与処理では，各項目が既定値に変更された場合，既定値以外に変更された場合よりも，付与される点数が小さいことを特徴とする印刷装置。
【請求項６】
請求項３から請求項５のいずれか１つに記載する印刷装置において，
前記制御部は，
前記決定処理では，評価値が同じ項目については，直近に付与された点数が大きい項目を上位とすることを特徴とする印刷装置。
【請求項７】
請求項１から請求項６のいずれか１つに記載する印刷装置において，
前記制御部は，
前記決定処理では，評価値が同じ項目については，最後に変更された日時が新しい項目を上位とすることを特徴とする印刷装置。
【請求項８】
請求項１から請求項７のいずれか１つに記載する印刷装置において，
前記制御部は，
印刷設定を記憶する指示を受け付けた場合に，現在設定されている印刷設定を，現在表示されている項目と関連付けて，前記記憶部に記憶させる設定記憶処理と，
前記記憶部に記憶される印刷設定を使用する指示を受け付けた場合に，当該印刷設定を読み出し，さらに当該印刷設定に関連付けられた項目を表示する画面を，前記表示部に表示させる読出表示処理と，
を実行することを特徴とする印刷装置。
【請求項９】
請求項８に記載する印刷装置において，
前記制御部は，
前記付与処理では，前記読出表示処理での各項目の表示に伴って変更された項目に対して点数を付与しないことを特徴とする印刷装置。
【請求項１０】
印刷装置に，
印刷に用いる印刷設定であって，少なくとも３以上のＭ個の項目を有する前記印刷設定の項目のうち，２以上であってＭより小さいＮ個の項目を表示する画面を表示する表示処理と，
前記印刷設定の各項目に対する変更を受け付ける受付処理と，
前記印刷設定の項目が変更される度に，前記印刷設定の項目ごとに割り当てられた評価値のうち，変更された項目に対応する評価値に点数を付与する付与処理と，
前記印刷設定の項目のうち，評価値が高いＮ個の項目を，前記画面に表示させる項目に決定する決定処理と，
を実行させることを特徴とするプログラムを記憶する記憶媒体。
【発明の詳細な説明】
【技術分野】
【０００１】
本発明は，印刷装置および印刷装置用のプログラムを記憶する記憶媒体に関する。さらに詳細には，印刷設定の項目を画面に表示する技術に関するものである。
【背景技術】
【０００２】
従来から，印刷装置の印刷設定として，印刷部数，印刷倍率，シート種類，シートサイズ等，各種の項目が知られている。これら複数の項目を１つの画面に全て表示すると，表示内容が煩雑になり易い。また，印刷装置が備える表示部の表示サイズが小さい場合には，表示可能な項目数に限りがある。そこで，複数ある印刷設定の項目のうち，幾つかの項目を選択して１つの画面に表示する印刷装置が実用化されている。
【０００３】
印刷設定の各種の項目を表示する技術を開示した文献としては，例えば，特許文献１がある。特許文献１では，印刷設定の項目として複写枚数と複写倍率とがあり，いずれか一方の項目が変更された場合に，変更された項目を優先的に画面に表示する構成が開示されている。
【先行技術文献】
【特許文献】
【０００４】
【特許文献１】特開平５−３２３７５２号公報
【発明の概要】
【発明が解決しようとする課題】
【０００５】
しかしながら，特許文献１では，２つの項目のどちらかを優先的に表示する場合の構成が開示されているものの，２つ以上の項目を表示する場合の構成が開示されていない。変更された項目順に表示する構成や，画面に表示する項目を切り換えずに固定する構成も考えられるが，ユーザの関心が高い項目を表示できないこともあり，改善の余地がある。
【０００６】
本発明は，前記した従来の技術が有する問題点を解決するためになされたものである。すなわちその課題とするところは，印刷装置の表示部に，ユーザの関心が高い項目を表示できる可能性が高い技術を提供することにある。
【課題を解決するための手段】
【０００７】
この課題の解決を目的としてなされた印刷装置は，シートに画像を印刷する印刷部と，表示部と，入力部と，記憶部と，制御部と，を備え，前記記憶部は，前記印刷部に印刷させる印刷設定であって，少なくとも３以上のＭ個の項目を有する前記印刷設定の，項目ごとに割り当てられた評価値を記憶し，前記制御部は，前記印刷設定の項目のうち，２以上であってＭより小さいＮ個の項目を表示する画面を，前記表示部に表示させる表示処理と，前記印刷設定の各項目に対する変更を，前記入力部を用いて受け付ける受付処理と，前記印刷設定の項目が変更される度に，前記記憶部に記憶される評価値のうち，変更された項目に対応する評価値に点数を付与する付与処理と，前記印刷設定の項目のうち，前記記憶部に記憶される評価値が高いＮ個の項目を，前記画面に表示させる項目に決定する決定処理と，を実行することを特徴としている。
【０００８】
本明細書に開示される印刷装置は，Ｍ個の印刷設定の項目のうち，Ｎ個を画面に表示するものであって，印刷設定の項目ごとに，変更される度に点数が付与される評価値を記憶する。そして，印刷装置は，各項目の評価値の高低に基づいて，画面に表示する項目を決定する。評価値は変更される度に点数が付与されることから，ユーザの関心が評価値に反映され易い。従って，ユーザの関心が高い項目を画面に表示できる可能性が高まる。
【０００９】
また，前記制御部は，前記表示処理では，前記画面に表示させるＮ個の項目について，前記記憶部に記憶される評価値が高い項目を，評価値が低い項目よりも優先して表示するとよい。表示させる項目の中でも評価値の高低に応じて優先順位を設けることで，ユーザの関心がより高い項目をより見易く表示できる。
【００１０】
また，前記制御部は，前記付与処理では，各項目の変更内容に応じて，付与される点数が異なるとよい。設定内容によって重要度が異なる。そのため，設定内容に応じて，付与される点数を変えることで，よりユーザの関心に合った表示が期待できる。
【００１１】
さらに，前記制御部は，前記付与処理では，各項目の設定内容のうち，印刷頻度が高いほど付与される点数が小さいとよい。印刷頻度が高い設定内容，すなわちよく使う設定内容は，印刷頻度が低い設定内容，すなわちあまり使わない設定内容よりも，ユーザの関心が低い傾向にある。そのため，印刷頻度が高い設定内容については，変更の度に付与される点数を小さくする方が好ましい。
【００１２】
また，前記制御部は，前記付与処理では，各項目が既定値に変更された場合，既定値以外に変更された場合よりも，付与される点数が小さいとよい。既定値（デフォルト）は，ユーザの関心が低い傾向にある。そのため，既定値への変更は，他の変更と比較して，変更の度に付与される点数を小さくする方が好ましい。
【００１３】
また，前記制御部は，前記決定処理では，評価値が同じ項目については，直近に付与された点数が大きい項目を上位とするとよい。直近に付与された点数が大きい項目ほど，現在操作中のユーザの関心が高いと推測できる。そのため，複数の項目が同点であった場合には，直近に付与された点数が大きい項目ほど上位とする方が好ましい。
【００１４】
また，前記制御部は，前記決定処理では，評価値が同じ項目については，最後に変更された日時が新しい項目を上位とするとよい。直近に変更されるほど，現在操作中のユーザの関心が高いと推測できる。そのため，複数の項目が同点であった場合には，最後に変更された日時が新しい項目ほど上位とする方が好ましい。
【００１５】
また，前記制御部は，印刷設定を記憶する指示を受け付けた場合に，現在設定されている印刷設定を，現在表示されている項目と関連付けて，前記記憶部に記憶させる設定記憶処理と，前記記憶部に記憶される印刷設定を使用する指示を受け付けた場合に，当該印刷設定を読み出し，さらに当該印刷設定に関連付けられた項目を表示する画面を，前記表示部に表示させる読出表示処理と，を実行するとよい。ユーザ任意の印刷設定を記憶し，その印刷設定の読み出しを可能にすることで，当該印刷設定をし直すユーザの手間を省くことができる。さらに，画面に表示する項目と関連付けて記憶することで，印刷設定を記憶したときにユーザの関心が高かった項目を表示することができ，当該印刷設定を読み出したユーザに好適な項目の表示が期待できる。
【００１６】
また，前記制御部は，前記付与処理では，前記読出表示処理での各項目の表示に伴って変更された項目に対して点数を付与しないとよい。ユーザ任意の印刷設定を読み出して印刷設定の各項目を変更した際，画面に表示させる項目も変更されることから，当該印刷設定の変更が画面に反映される。そのため，点数も付与すると過剰に点数を付与することになるため，変更された項目に対して点数を付与しない方が好ましい。
【００１７】
上記印刷装置の機能を実現するための制御方法，コンピュータプログラム，および当該コンピュータプログラムを格納するコンピュータ読取可能な記憶媒体も，新規で有用である。
【発明の効果】
【００１８】
本発明によれば，印刷装置の表示部に，ユーザの関心が高い項目を表示できる可能性が高い技術が実現される。
【図面の簡単な説明】
【００１９】
【図１】実施の形態にかかる複合機（ＭＦＰ）の外観を示す図である。
【図２】実施の形態にかかるＭＦＰの電気的構成を示すブロック図である。
【図３】コピー選択時の表示部の画面遷移を示す図である。
【図４】コピー設定の項目ごとの現在の設定内容およびポイントを記憶するデータベースの構成を示す図である。
【図５】第１の例における表示対象の項目およびポイントの変遷を示す図である。
【図６】第２の例における表示対象の項目およびポイントの変遷を示す図である。
【図７】第２の例におけるコピー設定の項目および項目ごとの選択肢およびポイントの付与値の一覧を記憶するデータベースの構成を示す図である。
【図８】印刷頻度の情報を記憶するデータベースの構成を示す図である。
【図９】実施の形態にかかるコピー設定処理の手順を示すフローチャートである。
【図１０】実施の形態にかかる項目設定処理の手順を示すフローチャートである。
【図１１】実施の形態にかかるカスタム選択処理の手順を示すフローチャートである。
【発明を実施するための形態】
【００２０】
以下，本発明にかかる印刷装置を具体化した実施の形態について，添付図面を参照しつつ詳細に説明する。本形態は，画像読取機能および画像形成機能を備えた複合機（ＭＦＰ：Multi Function Peripheral ）に本発明を適用したものである。
【００２１】
［ＭＦＰの構成］
本形態のＭＦＰ１００は，図１に示すように，シートに画像を印刷する画像形成部１と，原稿の画像を読み取る画像読取部２とを備えている。画像形成部１の画像形成方式は，電子写真方式であっても，インクジェット方式であってもよい。また，カラー画像の形成が可能であっても，モノクロ画像専用であってもよい。画像読取部２も，カラー画像の読み取りが可能であっても，モノクロ読取専用であってもよい。画像形成部１は，印刷部の一例である。
【００２２】
画像読取部２は，画像の読み取りを行う本体部１０と，原稿の自動搬送を行う自動原稿供給装置（ＡＤＦ：Auto Document Feeder）２０とを備えている。ＡＤＦ２０は，本体部１０よりも上方に位置するとともに一辺が本体部１０と連結し，本体部１０に対して回動自在に設けられている。そのため，画像読取部２は，ＡＤＦ２０によって本体部１０の上面を開閉することができる。つまり，ＡＤＦ２０は，本体部１０の上面を覆うカバーを兼ねる。なお，図１は，ＡＤＦ２０を閉じた状態を示している。
【００２３】
また，画像形成部１は，画像形成部１によって画像が印刷される前のシートを収容する給紙トレイ９１，９２と，画像形成部１によって画像が印刷された後のシートを収容する排紙トレイ９５と，を備えている。各給紙トレイ９１，９２は，画像形成部１から取り外し可能である。給紙トレイは，少なくとも１台備えていればよく，図１に示したような２台に限るものではない。
【００２４】
また，ＭＦＰ１００は，その前面側に，スタートキー，ストップキー，テンキーの各ボタン等，各種のボタンによって構成されるボタン群４１と，タッチパネルからなる表示部４２と，を備えた操作パネル４０を備えている。このボタン群４１や表示部４２により，動作状況の表示やユーザによる操作の入力が可能になっている。なお，本形態の表示部４２は，入力機能と表示機能とを兼ねるタッチパネルであるが，例えば入力機能を有しない液晶パネルであってもよい。表示部４２は，表示部の一例である。
【００２５】
続いて，本形態のＭＦＰ１００の電気的構成について説明する。本形態のＭＦＰ１００は，図２に示すように，ＣＰＵ３１と，ＲＯＭ３２と，ＲＡＭ３３と，ＮＶＲＡＭ（Non Volatile RAM）３４と，を有するコントローラ３０を備えている。また，ＭＦＰ１００は，画像形成部１と，画像読取部２と，操作パネル４０と，通信インターフェース３７とを備え，これらがＣＰＵ３１によって制御される。なお，図２中のコントローラ３０は，ＣＰＵ３１等，ＭＦＰ１００の制御に利用されるハードウェアを纏めた総称であって，実際にＭＦＰ１００に存在する単一のハードウェアを表すとは限らない。
【００２６】
ＲＯＭ３２には，ＭＦＰ１００を制御するための制御プログラムであるファームウェアや各種設定，初期値等が記憶されている。ＲＡＭ３３は，各種制御プログラムが読み出される作業領域として，あるいは画像データを一時的に記憶する記憶領域として利用される。ＮＶＲＡＭ３４も，ＭＦＰ１００にて用いられる各種の情報を記憶する記憶領域として利用される。ＮＶＲＡＭ３４は，不揮発性であり，記憶部の一例である。
【００２７】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ１００の各構成要素を制御する。ＣＰＵ３１は，制御部の一例である。なお，コントローラ３０が制御部であってもよい。
【００２８】
通信インターフェース３７は，外部デバイスとの通信を可能にするハードウェアである。具体的な通信インターフェース３７としては，例えば，有線ＬＡＮインターフェース，無線ＬＡＮインターフェース，シリアル通信インターフェースが該当する。また，ファクシミリ通信を可能にするための電話回線インターフェースであってもよい。ＭＦＰ１００は，画像読取部２にて読み取られた原稿の画像データを，通信インターフェース３７を介して外部デバイスに送信できる。また，ＭＦＰ１００は，画像形成部１に画像を形成させる印刷ジョブ，あるいは画像読取部２に画像を読み取らせる読取ジョブ，あるいはその両方を行わせるコピージョブを，通信インターフェース３７を介して外部デバイスから受信できる。
【００２９】
［ＭＦＰの制御］
続いて，ＭＦＰ１００の制御について説明する。ＭＦＰ１００は，印刷機能，読取機能，ファクシミリ送受信機能を有し，操作パネル４０を介して，ファクシミリ送信，コピー，およびスキャンの各種の処理の実行指示を受け付ける。
【００３０】
図３に，操作パネル４０の表示部４２に表示される画面の遷移を示す。図３（Ａ）に示される初期画面８１は，実行対象となる処理の選択を受け付ける画面である。具体的に本形態の初期画面８１には，ファクシミリ送信処理に対応するボタン８１１と，コピー処理に対応するボタン８１２と，スキャン処理に対応するボタン８１３と，ユーザによって記憶された特定の印刷設定であるカスタム設定を読み出すボタン８１４と，が表示される。ＭＦＰ１００は，電源投入後，表示部４２に初期画面８１を表示させる。なお，ボタン８１４は，カスタム設定が記憶されていることを条件として，初期画面８１に表示されるものであってもよい。
【００３１】
さらに，初期画面８１にてコピーが選択されると，ＭＦＰ１００は，図３（Ｂ）に示すコピー画面８２を，表示部４２に表示させる。コピー画面８２には，コピー設定の変更に対応するボタン８２１と，コピーの開始に対応するボタン８２２と，コピーの部数を設定するボックス８２３と，コピー設定の記憶に対応する記憶ボタン８２５と，が表示される。
【００３２】
また，コピー画面８２には，複数あるコピー設定の項目のうちの，一部の設定内容が項目表示領域８２４に表示される。ＭＦＰ１００は，コピー設定として，高速モード，シート種類，倍率，シートサイズ，品質，濃度，両面コピー，部数，の８個の項目があり，これらの項目のうち部数を除く３つの項目の設定内容が，項目表示領域８２４に表示される。コピー設定の項目のうち，高速モード，シート種類，倍率，シートサイズ，品質，濃度，両面コピーは，印刷設定のＭ個の項目の一例である。
【００３３】
具体的に，ＭＦＰ１００は，図４に示すように，コピー設定の項目ごとに，現在の設定内容およびポイントを記憶するデータベース（以下，「評価値ＤＢ３４１」）を，ＮＶＲＡＭ３４に記憶している。図４中，「Ｐ」の欄は，各項目の現在のポイントを意味する。また，「高速」は，高速モードを，「種類」は，シート種類を，「サイズ」は，シートサイズを，「両面」は，両面コピーを，それぞれ意味する。ＭＦＰ１００は，各項目の設定内容が変更される度に，変更された項目に対応するポイントに点数を加算する。そして，ポイントの値が大きい順に，項目表示領域８２４に表示される項目を決定する。なお，コピー設定のうち部数は，常にコピー画面８２に表示される。そのため，ポイントが記憶されず，表示項目の選択対象から除外される。ポイントは，評価値の一例である。
【００３４】
図５は，第１の例における，表示対象の項目およびポイントの変遷を示している。図５中の太枠は，項目表示領域８２４における現在の表示対象の項目であることを意味する。ＭＦＰ１００は，各項目の設定内容が変更される度に，変更された項目に対応するポイントを１つ加算するものとする。
【００３５】
図５（１）の状態では，コピー設定の項目のうち，シート種類，シートサイズ，および品質のポイントが１であり，その他の項目のポイントが０である。そのため，シート種類，シートサイズ，および品質が，コピー画面８２の項目表示領域８２４における表示対象の項目として選択される。
【００３６】
次に，図５（１）の状態から，ユーザの操作によって倍率が変更されると，ＭＦＰ１００は，倍率のポイントを１つ加算する。これにより，シート種類，シートサイズ，品質に加え，倍率も，ポイントが１になる。ＭＦＰ１００は，ポイントが同点の場合は，ポイントが変更された日時が現時刻から近い項目を優先するものとする。第１の例では，ポイントが変更された順を，品質，シート種類，シートサイズとする。この場合，項目表示領域８２４での表示項目が３つであることから，品質が表示対象から除外される。これにより，項目表示領域８２４における表示対象の項目は，図５（２）に示すように，シート種類，シートサイズ，および倍率となる。
【００３７】
次に，図５（２）の状態から，ユーザ操作によって両面コピーが変更されると，ＭＦＰ１００は，両面コピーのポイントを１つ加算する。これにより，両面コピーもポイントが１になる。そのため，シート種類が表示対象から除外され，項目表示領域８２４における表示対象の項目は，図５（３）に示すように，シートサイズ，倍率，および両面コピーとなる。
【００３８】
次に，図５（３）の状態から，ユーザ操作によってシートサイズが変更されると，ＭＦＰ１００は，シートサイズのポイントを１つ加算する。これにより，シートサイズのポイントが２になる。シートサイズのポイントが他の項目よりも高くなるが，既に表示対象であるため，項目表示領域８２４における表示対象の項目は，図５（４）に示すように，シートサイズ，倍率，および両面コピーのままであり，図５（３）の状態から変化しない。
【００３９】
次に，図５（４）の状態から，ユーザ操作によってシート種類が変更されると，ＭＦＰ１００は，シート種類のポイントを１つ加算する。これにより，シート種類もポイントが２になる。そのため，倍率が表示対象から除外され，項目表示領域８２４における表示対象の項目は，図５（５）に示すように，シートサイズ，両面コピー，およびシート種類となる。
【００４０】
図６は，第２の例における，表示対象の項目およびポイントの変遷を示している。第２の例では，ＭＦＰ１００は，設定内容が変更される度にポイントに加算される値が，設定された内容によって異なる。この点，各項目の設定内容が変更される度に，ポイントを一律１つ加算する第１の例とは異なる。
【００４１】
設定された内容によってポイントの付与値を変えるため，ＭＦＰ１００は，図７に示すように，コピー設定の項目ごとの選択肢および各選択肢を選択した際のポイントの付与値を記憶するデータベース（以下，「付与値ＤＢ」３２１）を，ＲＯＭ３２に記憶している。付与値ＤＢ３２１には，各項目の既定値（デフォルト）も記憶されている。
【００４２】
使用頻度が一般的に低い選択肢や用途が限られる選択肢は，選択された場合にユーザの注目度合が高いと考えられる。そのため，ポイントの付与値に大きい値が設定される。一方，使用頻度が一般的に高い選択肢は，選択された場合にユーザの注目度合が低いことが多い。そのため，ポイントの付与値に小さい値が設定される。また，既定値は，ユーザの関心が高くならない傾向にある。そのため，ポイントの付与値に負数が設定される。すなわち，ポイントの付与値は，正数に限らず，負数でもよい。
【００４３】
また，ＭＦＰ１００は，変化量ＤＢ３１２に記憶される各選択肢を選択した際のポイントの付与値を，印刷頻度に応じて可変にしてもよい。前述したように選択される頻度が低い選択肢は，選択された場合のユーザの注目度合が高いと考えられる。このことから，付与値ＤＢ３２１をＮＶＲＡＭ３４に記憶し，例えば図８に示すように，付与値ＤＢ３２１を，コピー設定の選択肢ごとの単位時間当たりの印刷回数も記憶する構成とし，印刷回数が所定値を超える度に，ポイントの付与値を小さい値に変更してもよい。なお，印刷頻度の高低を，総印刷回数に基づいて判断してもよい。
【００４４】
図６（１）の状態では，コピー設定の項目のうち，シート種類，シートサイズ，および品質のポイントが１であり，その他の項目のポイントが０である。そのため，シート種類，シートサイズ，および品質が，コピー画面８２の項目表示領域８２４における表示対象の項目として選択される。
【００４５】
次に，図６（１）の状態から，ユーザの操作によって倍率が１００％から２４０％に変更されると，ＭＦＰ１００は，付与値ＤＢ３２１を参照し，倍率が２４０％の場合のポイントの付与値を読み出す。そして，付与値が２であることから，評価値ＤＢ３４１に記憶される倍率のポイントを２つ加算する。これにより，倍率のポイントが２になり，倍率が最上位となる。
【００４６】
また，シート種類，シートサイズ，品質のポイントが１で同点になる。ＭＦＰ１００は，ポイントが同点の場合は，第１の条件として，前回にポイントが加算された項目を減算された項目に優先し，第２の条件として，ポイントが変更された日時が現時刻から近い項目を優先するものとする。第１の条件は，第２の条件よりも優先するものとする。第２の例でも，ポイントが変更された順を，品質，シート種類，シートサイズとする。この場合，前回にポイントが減算された項目が無く，第１の条件では優劣を判断できない。そのため，第２の条件に基づいて，ポイントが変更された日時が優先され，品質が表示対象から除外される。これにより，項目表示領域８２４における表示対象の項目は，図６（２）に示すように，シート種類，シートサイズ，および倍率となる。
【００４７】
次に，図６（２）の状態から，ユーザの操作によって倍率が２４０％から１００％に変更されると，ＭＦＰ１００は，付与値ＤＢ３２１を参照し，倍率が１００％の場合のポイントの付与値を読み出す。そして，付与値が−１であることから，評価値ＤＢ３４１に記憶される倍率のポイントを１つ減算する。これにより，また，シート種類，倍率，シートサイズ，品質のポイントが１で同点になる。この場合，倍率のポイントが減算されているため，第１の条件に基づいて，倍率が表示対象から除外される。これにより，項目表示領域８２４における表示対象の項目は，図６（３）に示すように，シート種類，シートサイズ，および品質となる。
【００４８】
次に，図６（３）の状態から，ユーザ操作によってシートサイズがＡ４からＢ４に変更されると，ＭＦＰ１００は，シートサイズのポイントを２つ加算する。これにより，シートサイズのポイントが３になる。シートサイズのポイントが他の項目よりも高くなるが，既に表示対象であるため，項目表示領域８２４における表示対象の項目は，図６（４）に示すように，シートサイズ，倍率，および両面コピーのままであり，図６（３）の状態から変化しない。
【００４９】
［コピー設定処理］
以下，上述した動作を実現する処理として，コピー設定の変更およびコピー開始の指示を行うコピー設定処理について，図９のフローチャートを参照しつつ説明する。コピー設定処理は，図３（Ａ）に示した初期画面８１にてコピーが選択されたことを契機に，ＣＰＵ３１によって実行される。コピーの選択は，例えば，ボタン８１２がタッチされたことによって判断できる。
【００５０】
コピー設定処理では，ＭＦＰ１００は先ず，評価値ＤＢ３４１を参照し，コピー設定の各項目のうち，ポイントが上位のＮ個の項目を抽出する（Ｓ１０１）。Ｎは，項目表示領域８２４に表示する項目の数であり，本形態では３とする。Ｓ１０１では，ポイントが大きい順に抽出する。Ｓ１０１は，決定処理の一例である。
【００５１】
Ｓ１０１の後，ＭＦＰ１００は，ポイントが同点でＮ個の項目が抽出できない状態か否かを判断する（Ｓ１０２）。ポイントが同点でＮ個の項目が抽出できない場合（Ｓ１０２：ＹＥＳ），ＭＦＰ１００は，優先条件に従って，優先項目を抽出する（Ｓ１１１）。
【００５２】
優先項目としては，例えば，最後に変更された日時が新しいこと，すなわち直近にポイントが加算されたことが該当する。直近に変更されるほど，現在操作中のユーザの関心が高いと推測できるためである。また，既定値は，ユーザの関心が低い傾向にあることから，既定値ではないことを優先条件としてもよい。また，上述した第２の例のように各項目の設定内容に応じてポイントの付与値が異なる場合には，直近に付与された値が大きいことを優先条件としてもよい。この他，あらかじめユーザによって設定された優先順位に従ってもよい。Ｓ１１１は，決定処理の一例である。
【００５３】
Ｓ１１１の後，あるいはポイントが同点でＮ個の項目が抽出できない状態ではない場合（Ｓ１０２：ＮＯ），ＭＦＰ１００は，図３（Ｂ）に示したコピー画面８２を，表示部４２に表示させる（Ｓ１０３）。このとき，ＭＦＰ１００は，Ｓ１０１およびＳ１１１によって抽出した項目順に，項目表示領域８２４の上側から表示する。Ｓ１０３は，表示処理の一例である。そして，ＭＦＰ１００は，ユーザによる入力を受け付ける。
【００５４】
ＭＦＰ１００は，Ｓ１０１にてポイントが大きい順に項目を抽出することから，ポイントが大きい項目ほど項目表示領域８２４の上側に表示される。このように，表示させる項目の中でもポイントの大小に応じて表示の優先順位を設けることで，ユーザの関心がより高い項目をより見易く表示できる。優先する表示方法としては，上側に表示する他，例えば，フォントを大きくする，色を変える，であってもよい。
【００５５】
ユーザによる入力を受け付けた後，ＭＦＰ１００は，コピー設定が選択されたか否かを判断する（Ｓ１２１）。コピー設定の選択は，例えば，ボタン８２１がタッチされたことによって判断できる。
【００５６】
コピー設定が選択された場合（Ｓ１２１：ＹＥＳ），ＭＦＰ１００は，コピー設定画面８３の表示および変更された項目のポイントの計算を行う項目設定処理を実行する（Ｓ１２２）。ここで，Ｓ１２２の項目設定処理について，図１０のフローチャートを参照しつつ説明する。
【００５７】
項目設定処理では，ＭＦＰ１００は先ず，図３（Ｃ）に示すコピー設定画面８３を，表示部４２に表示させる（Ｓ１５１）。コピー設定画面８３には，品質設定に対応するボタン８３１と，シート種類に対応するボタン８３２と，倍率に対応するするボタン８３３と，設定変更の終了に対応するボタン８３４と，が表示される。この他，画面をスクロールすることによって，コピー設定の他の項目に対応するボタンも表示される。そして，ＭＦＰ１００は，ユーザによる入力を受け付ける。Ｓ１５１は，受付処理の一例である。
【００５８】
ユーザによる入力を受け付けた後，ＭＦＰ１００は，コピー設定の終了が選択されたか否かを判断する（Ｓ１５２）。終了の選択は，例えば，ボタン８２４がタッチされたことによって判断できる。終了が選択された場合（Ｓ１５２：ＹＥＳ），項目設定処理を終了し，コピー設定処理に戻る。
【００５９】
終了が選択されていない場合（Ｓ１５２：ＮＯ），コピー設定のいずれかの項目が選択されたことになる。そのため，ＭＦＰ１００は，選択された項目に対応する詳細設定画面を，表示部４２に表示させる（Ｓ１５３）。詳細設定画面は，各項目の選択肢に合わせて構成すればよく，詳細は省略する。ＭＦＰ１００は，各項目の設定を受け付け，設定された内容を評価値ＤＢ３４１に記憶する（Ｓ１５４）。
【００６０】
また，ＭＦＰ１００は，設定内容が変更されたか否かを判断する（Ｓ１６１）。設定内容が変更された場合（Ｓ１６１：ＹＥＳ），ＭＦＰ１００は，評価値ＤＢ３４１に記憶されているポイントを増減する（Ｓ１６２）。ポイントの付与値としては，例えば，図５に示した第１の例のように，変更される度に１加算するとしてもよいし，図６に示した第２の例のように，設定内容に応じて異なってもよい。また，付与値は，印刷頻度に応じて可変としてもよい。また，付与値は，整数に限らず，小数であってもよい。Ｓ１６２は，付与処理の一例である。
【００６１】
Ｓ１６２の後，ＭＦＰ１００は，変更時刻を，変更された項目に対応付けてＮＶＲＡＭ３４に記憶する（Ｓ１６３）。変更時刻は，Ｓ１１１での優先項目の決定に用いられる。なお，変更時刻を優先項目の決定に利用しない場合には，Ｓ１６３を省略してもよい。
【００６２】
Ｓ１６３の後，ＭＦＰ１００は，Ｓ１６２にてポイントを増減された付与値を，ポイントが付与された項目に関連付けてＮＶＲＡＭ３４に記憶する（Ｓ１６４）。直近の付与値は，Ｓ１１１での優先項目の決定に用いられる。なお，直近の付与値を優先項目の決定に利用しない場合には，Ｓ１６４を省略してもよい。Ｓ１６４の後，あるいは設定内容が変更されていない場合（Ｓ１６１：ＮＯ），Ｓ１５１に戻る。そして，設定変更の終了が選択されるまで，ＭＦＰ１００は，コピー設定の変更を繰り返す。
【００６３】
図９の説明に戻り，Ｓ１２２の項目設定処理が完了した後，Ｓ１０１に移行し，変更されたポイントに従って項目表示領域８２４の表示対象の項目を抽出し直す。これにより，コピー設定の各項目の設定内容が変更される度に，各項目のポイントに応じて，項目表示領域８２４の表示内容が更新される。
【００６４】
一方，コピー設定が選択されていない場合（Ｓ１２１：ＮＯ），ＭＦＰ１００は，コピーの開始が選択されたか否かを判断する（Ｓ１３１）。コピーの開始の選択は，例えば，図３（Ｂ）に示したコピー画面８２のボタン８２２がタッチされたことによって判断できる。
【００６５】
コピーの開始が選択された場合（Ｓ１３１：ＹＥＳ），ＭＦＰ１００は，コピー設定の内容に従って，コピー動作を開始する（Ｓ１３２）。すなわち，ＭＦＰ１００は，画像読取部２に原稿の読み取りを開始させ，画像形成部１にその読み取った原稿の画像の印刷を開始させる。Ｓ１３２の後は，コピー設定処理を終了する。
【００６６】
一方，コピーの開始が選択されていない場合（Ｓ１３１：ＮＯ），ＭＦＰ１００は，コピー設定の記憶が選択されたか否かを判断する（Ｓ１４１）。コピー設定の記憶の選択は，例えば，図３（Ｂ）に示したコピー画面８２のボタン８２５がタッチされたことによって判断できる。
【００６７】
コピー設定の記憶が選択された場合（Ｓ１４１：ＹＥＳ），ＭＦＰ１００は，現在設定されているコピー設定と項目表示領域８２４に表示中の項目名とを関連付けて，カスタム設定としてＮＶＲＡＭ３４に記憶する（Ｓ１４２）。カスタム設定の利用については後述する。Ｓ１４２は，設定記憶処理の一例である。
【００６８】
一方，コピー設定の記憶が選択されていない場合（Ｓ１４１：ＮＯ），コピー画面８２にて部数が入力されたことになる。そのため，ＭＦＰ１００は，部数を設定する（Ｓ１４３）。Ｓ１４２あるいはＳ１４３の後，Ｓ１０３に戻り，ＭＦＰ１００は，ユーザによる指示の入力を待つ。
【００６９】
なお，コピーが選択された後，操作パネル４０のボタン群４１に含まれるキャンセルボタンを押下すると，ＭＦＰ１００は初期画面８１に戻す。この場合，コピー設定処理も終了する。
【００７０】
本形態のコピー設定処理によれば，ＭＦＰ１００は，コピー設定の項目ごとに，変更される度に点数が付与されるポイントを記憶し，各項目のポイントの高低に基づいて，コピー画面８２の項目表示領域８２４に表示する項目を決定する。この構成によれば，直近の変更に限らず，変更頻度および変更内容に応じてポイントが変動し，ユーザの関心をポイントに反映できる。従って，ＭＦＰ１００では，ユーザの関心が高い項目をコピー画面８２に表示できる可能性が高まる。
【００７１】
［カスタム選択処理］
続いて，Ｓ１４２にて記憶させたカスタム設定に基づくコピーを指示する動作であるカスタム選択処理について，図１１のフローチャートを参照しつつ説明する。カスタム選択処理は，初期画面８１にてカスタム設定の読み出しが選択されたことを契機に，ＣＰＵ３１によって実行される。なお，カスタム設定の読み出しの選択は，例えば，ボタン８１４がタッチされたことによって判断できる。なお，カスタム選択処理の説明中，図９に示したコピー設定処理と同様の処理については，同じ符号を付して説明を省略する。
【００７２】
カスタム選択処理では，ＭＦＰ１００は先ず，ＮＶＲＡＭ３４に記憶されたカスタム設定を読み出す（Ｓ２０１）。前述したように，カスタム設定には，コピー設定と，項目表示領域８２４に表示する項目名と，が含まれる。そこで，ＭＦＰ１００は，コピー画面８２を表示部４２に表示させ，さらにカスタム設定に記憶されている項目名の設定内容を項目表示領域８２４に表示させる（Ｓ２０２）。Ｓ２０１およびＳ２０２は，読出表示処理の一例である。
【００７３】
なお，Ｓ２０２では，カスタム設定を読み出してコピー設定の各項目の設定内容を変更した際，コピー画面８２の項目表示領域８２４に表示させる項目も変更される。このことから，当該コピー設定の変更が項目表示領域８２４に反映される。そのため，この変更に対して点数も付与すると，過剰に点数を付与することになることから，カスタム設定の読み出しに伴うコピー設定の変更では，表示される項目についてポイントを増減させない。
【００７４】
Ｓ２０２の後，ＭＦＰ１００は，コピー設定処理のＳ１０３と同様に，コピー設定が選択されたか否かを判断する（Ｓ１２１）。コピー設定が選択された場合（Ｓ１２１：ＹＥＳ），ＭＦＰ１００は，項目設定処理を実行する（Ｓ１２２）。
【００７５】
カスタム設定によって読み出したコピー設定をさらに変更する場合には，変更された項目のポイントを増減させる。そのため，Ｓ１２２の後，ＭＦＰ１００は，評価値ＤＢ３４１を参照して，ポイントが上位のＮ個の項目を抽出する（Ｓ１０１）。そして，ＭＦＰ１００は，ポイントが同点でＮ個の項目が抽出できない場合（Ｓ１０２：ＹＥＳ），優先条件に従って，優先項目を抽出する（Ｓ１１１）。
【００７６】
Ｓ１１１の後，あるいはポイントが同点でＮ個の項目が抽出できない状態ではない場合（Ｓ１０２：ＮＯ），ＭＦＰ１００は，コピー画面８２を表示部４２に表示させる（Ｓ１０３）。Ｓ１０３の後は，Ｓ１２１に戻る。
【００７７】
一方，コピー設定が選択された場合（Ｓ１２１：ＹＥＳ），ＭＦＰ１００は，コピーの開始が選択されたか否かを判断する（Ｓ１３１）。以下，コピー選択処理と同様であり，説明を省略する。
【００７８】
本形態のカスタム選択処理によれば，ＭＦＰ１００は，事前に記憶させたカスタム設定を読み出し可能にすることで，ユーザがカスタム設定に含まれるコピー設定をし直す手間を省くことができる。さらに，カスタム設定に，コピー画面８２の項目表示領域８２４に表示する項目が含まれることから，ＭＦＰ１００は，カスタム設定を記憶させたときにユーザの関心が高かった項目を表示することができる。
【００７９】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，複写機，プリンタ等，印刷機能を備えるものであれば適用可能である。また，実施の形態では，複数の給紙トレイを備えるＭＦＰ１００に本発明を適用しているが，給紙トレイを１つのみ備える装置に本発明を適用してもよい。
【００８０】
また，実施の形態では，ポイントが大きい順に項目を並べ替えて表示しているが，並べ替えを行わなくてもよい。例えば，項目ごとに優先順位を設定し，その優先順位に従って表示してもよい。また，抽出された項目の中で無作為に並べてもよい。
【００８１】
また，実施の形態では，ＮＶＲＡＭ３４に記憶させる項目ごとのポイントは，ＭＦＰ１００に１つ，すなわちユーザ共通のポイントであったが，ユーザごとに記憶してもよい。この場合，ユーザごとの使用頻度に合わせて，より好適な項目の表示を行うことが期待できる。
【００８２】
また，実施の形態では，評価値ＤＢ３４１を，不揮発性の記憶部であるＮＶＲＡＭ３４に記憶しているが，揮発性の記憶部であるＲＡＭ３３に記憶してもよい。この場合，ＲＡＭ３３が記憶部の一例となる。
【００８３】
また，実施の形態では，項目の設定変更のタイミングで，ポイントに点数を付与しているが，点数を付与するタイミングはこれに限るものではない。例えば，印刷完了のタイミングで点数を付与してもよい。
【００８４】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００８５】
１      画像形成部
３１    ＣＰＵ
３４    ＮＶＲＡＭ
４２    表示部
１００  ＭＦＰ
【図１】
2016101684.tif 000003
【図２】
2016101684.tif 000004
【図３】
2016101684.tif 000005
【図４】
2016101684.tif 000006
【図５】
2016101684.tif 000007
【図６】
2016101684.tif 000008
【図７】
2016101684.tif 000009
【図８】
2016101684.tif 000010
【図９】
2016101684.tif 000011
【図１０】
2016101684.tif 000012
【図１１】
2016101684.tif 000013